(57)【要約】      （修正有）【課題】遭難者が衣服を着用した状態で迅速にスーツに入ることができ、着装者を波、雨および風から保護する容器として機能し、低体温に対して適切に防護する海難救助用スーツを提供する。【解決手段】海難救助用スーツ１は、遭難者の身体を収納できるゆったりした身体収納容器２を備える。この身体収納容器２は、プラスチック層によって形成され、気密空気室によって外側カバーから分離した内側カバーによって囲まれる。身体収納容器２には、展開できる頭部スリーブ３および外側スリーブ４を有する頭部開口部２ｂから到達する。【選択図】図１
2011098721.tif 000002
【特許請求の範囲】
【請求項１】
内側に遭難者の身体を収容することを目的とし、浮力によって浸水しないように作製される海難救助用スーツであって、
前記遭難者の解剖学的形態に従って形成される容器であり、十分ゆったりしており、浮くミニキャビンのように、該容器の内側で前記遭難者が動作可能であり、
前記容器は少なくとも２つのカバーによって囲まれ、
前記カバーは、気密空気室によって分離される内側カバーおよび外側カバーを備え、
前記の内側カバーは、少なくとも１つの断熱層を備える少なくとも１つの第１のプラスチック層と、第２の胞状のプラスチック層と、少なくとも１つの断熱層を備える第３のプラスチック層とを備え、
前記外側カバーは、少なくとも１つのプラスチック層を備える容器と、
頭部カバーとして展開可能であり、把持手段を有する頭部スリーブと、
前記頭部スリーブの外側部分に展開可能であり、前記頭部スリーブの周りに周囲容器を形成できる外側スリーブとを備えることを特徴とする海難救助用スーツ。
【請求項２】
前記外側スリーブは、展開して前記頭部スリーブの周りに保護環境を形成するか、雨水を収集するのに使用可能な容器を形成可能であることを特徴とする請求項１に記載の海難救助用スーツ。
【請求項３】
展開可能であり、前記頭部スリーブに連結する手段により、展開すると前記頭部スリーブの外側部分を覆う保護スリーブをさらに備えることを特徴とする請求項１に記載の海難救助用スーツ。
【請求項４】
保護材料で作製され、特有の側面を有する第２の外側層をさらに備えることを特徴とする請求項１に記載の海難救助用スーツ。
【請求項５】
固定されるか、着脱可能であり、開いたベストとして容器の内側に位置する断熱付属品であり、畳んで閉じて前記遭難者を覆うことが可能な前記付属品の壁部を有する断熱付属品をさらに備えることを特徴とする請求項１に記載の海難救助用スーツ。
【請求項６】
内側に展開可能な少なくとも１つのロープがある到達可能な外側コンパートメントをさらに備えることを特徴とする請求項１に記載の海難救助用スーツ。
【請求項７】
前記スーツを密着させる手段をさらに備えることを特徴とする請求項１に記載の海難救助用スーツ。
【請求項８】
前記気密空気室は、前記内側カバーと前記外側カバーとの部分的に気密な接合部によって形成されることを特徴とする請求項１に記載の海難救助用スーツ。
【請求項９】
前記内側カバーは、前記外側カバーの内側に配置され、双方のカバーは、首部で密閉して接合され、双方のカバーの間で気密空気室が形成されることを特徴とする請求項１に記載の海難救助用スーツ。
【請求項１０】
帯が前記スーツ脚部把持部、胴体部把持部、胸部固定部および背面部固定部を形成する防護具をさらに備えることを特徴とする請求項１に記載の海難救助用スーツ。
【請求項１１】
前記スーツ脚部、前記胴体部および前記肩部の周りにあり、
スーツ脚部把持部のセットと、
腰部把持部と、
前部で分離し、前記肩部を超えて突出し、前記背面部で交差した前記背面部把持部と胸部把持部のセットと、
前記背面部把持部と前記胸部把持部との間に延伸する交差胸部把持部とを形成する複数の帯を備えることを特徴とする請求項１０に記載の海難救助用スーツ。
【請求項１２】
前記防護具は、前記前面に到達可能であり、前記着装者の手が届く範囲に維持する前部把持手段を有する少なくとも１つの背面部巻上式固定部を備えることを特徴とする請求項１に記載の海難救助用スーツ。
【請求項１３】
前記スーツ脚部の断熱補強部のセットを備え、各スーツ脚部の背面部にはそれぞれ、層を有する断熱壁部を備え、前記断熱壁部は、前記内側カバーと前記外側カバーとの間に位置し、前記着装者のひざ背面部の高さにあることを特徴とする請求項１に記載の海難救助用スーツ。
【請求項１４】
少なくとも、プラスチックラミネート加工された低密度ポリエチレン（ＬＤＰＥ）および２軸延伸ポリプロピレン（ＢＯＰＰ）から成る群から選択される材料をさらに含むことを特徴とする請求項１に記載の海難救助用スーツ。
【請求項１５】
２つの閉じたミトンで終端となる上部延伸部のセットと、２つの閉じた足部で終端となるスーツ脚部のセットとをさらに備える請求項１に記載の海難救助用スーツ。
【発明の詳細な説明】
【技術分野】
【０００１】
本発明は、さまざまな産業技術および船舶などの交通手段に関し、海上をはじめとする水上環境で用いる海難救助装置に関する。
【０００２】
詳しくは、着装者を完全に浮かんだ状態で維持し、着装者が身体収納容器内で動作できる海難救助用スーツに関し、本スーツは、水が入ってくるのを防ぎ、着装者を寒さから防護し、頭部の周辺領域を保護し、救助を待つ間に雨水を収集する。
【背景技術】
【０００３】
今まで、主にスーツやワンピースなどの救助装置がいくつか知られており、船舶が難破する前の攻撃要因（火炎、高温など）および／または難破した後の攻撃要因（水中滞在、低温など）から遭難者の身体を、保護する。
【０００４】
特許文献１に挙げられるスーツが知られている。このスーツは、上部または頭部の開口部と前部または胸部の拡張可能な開口部の２つの独立した開口部を備える。後者は、スーツの内側の浮袋が漏れて浸水する危険性のある窮屈なシステムに基づいている。
【０００５】
特許文献２は、スーツが膨張可能な室部を備えることを示すが、このような室部はスーツ全体を覆わず、着装者の呼気で浮袋に空気を入れる領域に位置している。
【０００６】
特許文献３は、部分的に拡張可能なスーツを示すが、拡張可能なスリーブを備えていない。このスーツは、頭部や顔面を覆う手段を備えず、単に垂直に浮くように作製されている。
【０００７】
特許文献４は、着装者は容量が拡張可能な上部開口部から入り、顔面の周りを固く締めるスーツを示している。スーツの上端部を拡張して管状にすることができるが、実際、スリーブは管状になっていない。また、このスーツは垂直に浮かぶ。材質には、防水性があるものの、断熱性はない。また、浮揚を維持するために膨張式浮袋を必要とする。
【０００８】
特許文献５は、断熱性および浮揚性がある小さい浮袋を使用しているが、このような浮袋は、恒久的に閉じず、膨らませる必要がある。このため、その機能を実施するために膨らませる必要がある。
【０００９】
特許文献６は、頭部および顔面を保護するスーツについて言及し、排泄物を収集する衛生能力を備え、固形食を摂取し、液体を飲用することができ、着装者はスーツ内でわずかに動作することができる。こうした動作によって、着装者は、たとえばスリーブから腕を出し、胴体の方に脚を動かし、身体部分を摩ることができる。このような動作は、着装者がスリーブから腕を出し、胎児のような姿勢で脚を曲げることができる蛇腹または折り目、柔軟性および材質によって可能となる。このスーツでは極端な温度に対して適切に保護できず、着装者は寒さに露出することから、このような姿勢をとると考える必要がある。
【００１０】
特許文献７は、壁部に２つの胞状のプラスチックシートを備える衣類を示し、プラスチックシートの間には空気室部があり、プラスチックシートはアルミニウム熱反射層を備えている。このスーツは、上部開口部に拡張可能なスリーブを備えておらず、防護具がない。
【００１１】
特許文献８は、拡張可能なスリーブを備えていないが、頭部開口部に、重ねることができる外側フードおよび内側フードの２つのフードを備えるスーツを示している。
【００１２】
このほかに、同じ発明者の特許文献９の耐火スーツが知られている。このスーツの壁部は胞状のプラスチック層要素を備えず、手袋がゴムとアスベストで作製され、縫い合わせて密封される。このスーツは、防水性があり、水を収集できる巻上式の防護具や拡張可能な外側スリーブを備えず、着装者の身体に適合するスーツである。
【００１３】
このほかに、同じ発明者の特許文献１０の耐久性のある救助用スーツが知られている。このスーツの壁部は、外層を備えず、内層を用いて絶縁気密の浮袋を形成する。また、このスーツでは、着装者はスーツに入る前にベストおよびフードがある衣服を着用する必要がある。
【００１４】
一般に、従来のネオプレンスーツは、低温から着装者を適切に保護していない。外側の冷たい液体（海、湖、川などの水）は、ネオプレンを介して身体とスーツの間に存在する液体と湿度に作用し、温度は１４℃となる可能性がある。液体が空気より３０倍の速さで伝導することが指摘されている。
【００１５】
さらに、濡れた顔面を露出すると、空気伝導が（２０〜６０ｋｍ／ｈ以上で）促進されるため、顔面に触れる水滴が冷却され、体温が低下する。このように寒さに露出することはきわめて悪影響を及ぼし、いくつかのスーツでは、足、手首、手およびファスナーの周辺領域が露出する。
【先行技術文献】
【特許文献】
【００１６】
【特許文献１】米国特許第１１０２７７２号明細書
【特許文献２】米国特許第１３１４２９９号明細書
【特許文献３】米国特許第２１８１１５０号明細書
【特許文献４】米国特許第２７６１１５４号明細書
【特許文献５】米国特許第４２４２７６９号明細書
【特許文献６】米国特許第４５９９０７５号明細書
【特許文献７】米国特許第４７０４０９２号明細書
【特許文献８】米国特許第５５６００４３号明細書
【特許文献９】アルゼンチン国特許出願第０４０１０４２３０号明細書
【特許文献１０】アルゼンチン国特許出願第０８０１０１６０４号明細書
【発明の概要】
【発明が解決しようとする課題】
【００１７】
本発明には、いくつかの目的があり、言わば多数の利点がある。
【００１８】
本発明は、遭難者が衣服を着用した状態で迅速にスーツに入ることができ、この動作は着用している衣服または靴によって妨げを受けない。
【００１９】
スーツは、迅速に着装できるため、難破船から迅速に避難することができる。
【００２０】
スーツを着装するのに有用な同一の開口部には、頭部を含めて覆うのに有用な拡張可能な内側スリーブがある。この内側スリーブには、これを閉じる複数の位置があり、顔面に巻いて閉じるか、顔面で閉じて顔面全体を覆うか、首の周りを閉じて頭部を自由な状態にするフードとしての機能がある。
【００２１】
外側スリーブを拡張して閉じても、内側スリーブを開いた状態することが可能であり、着装者は、外側スリーブの内側に頭部、胴体および手を入れた状態で、カヤックなどのように座ることができ、救助艇、救助船または救助ヘリコプターを視認し、救助を受けることができる。着装者が、腰に外側スリーブを密着させてカヤックなどのように座っても、スーツの外側で頭、胴体および腕を動かすことができる。
【００２２】
外側スリーブを拡張して閉じても、着装者はスーツの中を見たり、スーツに備えたオールを使用したり、水を飲んだり、食物を食べたり、排泄物を捨てて衛生を保ったり、運動やマッサージをしたり、ベストを外してほかの衣服を着たり、傷口を密封したり、睡眠をとったりすることなどが可能である。
【００２３】
このほか、拡張した外側スリーブは、着装者を波、雨および風から保護する容器として機能し、断水性を得ることができる。
【００２４】
拡張可能なスリーブを適切に取り扱うことによって、内側の収納容器または空間から高温空気の余剰分を取り込むか、熱を蓄積し、雨が降れば、双方の拡張可能なスリーブの間に真水を収集することができる。
【００２５】
双方の拡張可能なスリーブが容易かつ迅速に開けられることから、着装者が輸送機（船、ヘリコプターなど）のあらゆる救出手段に乗り込むときに、水の中でスーツを脱装することが簡便である。
【００２６】
収納容器が広いため、スーツの内側で、さまざまな動作をすることができる。たとえば、スーツ脚部からスーツ主要部の方に脚を抜いたり、袖部から腕を抜いたり、快適となるようにさまざまな浮いた状態に変えたりすることができる。
【００２７】
胞状のシートによって得られる浮力、気密室部および身体収納容器によって、スーツに水をほぼ完全に入れないようにし、これにより、水温が低い場合、身体が水に接触する領域を減らして、身体が寒さに露出しないようにできる。
【００２８】
同時に、着装者は顔面、首、手および腕を保護し、水に対して１００％気密するバリアを保持し、低体温に対して適切に防護する。その結果、着装者は冷水中に長く滞在することができる。
【００２９】
周辺温度から絶縁されるのは、空気が含まれているだけでなく、一連の（カバーおよび胞状のシート内の）対流性と、（二層化が可能、言わば、各シートで２層に微細アルミ加工することによって得られる）熱透過性とが増大することによるものである。
【００３０】
たとえば、対流過程では、密度がきわめて低い胞状の層を用いれば、高温環境からの熱交換速度や熱漏出速度が低くなる。胞状の層に含まれる空気には、１）対流過程があり、２）熱透過性を支配する質量密度がきわめて低い領域を有する空間が形成される。（注意：熱を屈折することも、蓄積することも、伝導することもできない質量が存在しない領域とは異なり、質量が高い鉄の場合、熱透過性を阻害したり、低下させたりする。）
【００３１】
対流のさまざまな過程によって断熱性が増大し、伝導性および熱透過性が喪失している場合、着装者の身体と水との間で温度がわずかに交換され、これにより、着装者は長時間冷水に滞在でき、スーツを着装したときに濡れても、身体は正常体温に回復する。本スーツでは、浮揚性の差が著明であり、耐熱性が増大し、水との接触表面を小さく維持することから、寒さに露出する領域を減少させるために胎児のような姿勢で脚を入れる必要はない。
【００３２】
本スーツは、水からほぼ全身を浮揚させ、これにより、きわめて容易に背泳ぎや平泳ぎができ（風向きおよび／または潮流に対向しても容易であり）、このほかの利点として、破裂、引裂または浸水の場合に、胞状の層、気密室部および身体収納容器の空気があるため、スーツの内側の浮袋は喪失しない。
【００３３】
断熱は、空気が含まれているだけでなく、（たとえば、密度がきわめて低い胞状の層に一体化されることにより、高温環境からの熱交換速度や熱漏出速度を減少させる繊維内部および胞状構造内ならびにこのような胞状の層の間に存在する空気室部内）の一連の対流過程と、（微細アルミ加工によって得られる）熱透過性とが増強されていることにより発生する。いくつかの対流過程や熱透過過程によって断熱性が増大すると、着装者の身体と水との間の温度交換はほとんど消失する。
【００３４】
本スーツには、薄膜形態のアルミニウムを含めてよく、この材料によって、遭難者の体温を維持する現象であり、中空繊維内に内部透過し、スーツ外側に熱透過し、スーツ容器内側に内部透過し、電導体のない領域内で対流し、さらには絶縁系全体に投射する、換言すれば、繊維内側では、胞状空間や胞間空間に閉じ込められた空気が環状に対流することによって層内側の内部透過過程を引き起こして断熱する現象が起きる。その結果、閉じ込められた空気は、（各胞内側の）放射と対流により作用を発揮する。
【００３５】
試験は、さまざまな低温環境と着装者体温（３６℃／３７℃）下では、スーツ容器の温度は約３３℃で一定であることを明確に示した。８時間−２℃の水に頭部スリーブが開いた（結果として、頭部開口部から熱損失があった）状態で実施した浸漬試験では、容器温度が２８℃であることを明確に示した。通常、着装者が容器内で動かない状態でいる必要があるが、この温度は、生存可能な温度であるだけではなく、快適温度でもある。スーツがキャビンと同じくらい広いことから、着装者は容器の主要部に引き込んだり、冷やすように、腕や脚をスリーブから出してさらに露出したりすることができる。
【００３６】
また、スーツは部分的に水から浮揚でき、容器は乾燥環境を作るという事実によって、スーツの熱容量が得られる。
【００３７】
本スーツには、このほかにも、顔面を濡らさずに、平泳ぎができ、複雑な機構がなく（たとえばファスナー）、操作は安全であり、摩擦や機械的に加わる力に対して抵抗性が高い外側カバーを備え、耐火カバーなどを備えるという利点がある。
【００３８】
本発明の目的を明らかにし、理解するために、限定例とはならない説明目的の実施形態の好ましい態様の１つを示すいくつかの図面を用いて説明する。
【図面の簡単な説明】
【００３９】
【図１】本海難救助用スーツの上面図である。
【図２】いくつかの補助要素が展開した本海難救助用スーツの上面図である。
【図３】実施形態の考えうる一態様の内側浮袋の詳細な上面図であり、丸い胞状部分を示す図である。
【図４】実施形態の考えうる別の態様の内側浮袋の詳細を示す上面図であり、長方形の胞状部分を示す図である。
【図５Ａ】図３に示すＡ−Ａ線に沿った内側浮袋および外側浮袋の断面図である。
【図５Ｂ】図４に示すＢ−Ｂ線に沿った内側浮袋および外側浮袋の断面図である。
【図５Ｃ】実施形態の別の態様の内側浮袋および外側浮袋の断面図である。
【図６】外側スリーブが拡張した海難救助用スーツの斜視図である。
【図７】海難救助用スーツの上部斜視図であり、頭部スリーブが畳まれ、保護スリーブで囲まれていることを示す図である。
【図８】海難救助用スーツの別の上部斜視図であり、拡張した頭部スリーブが接合部によって保護スリーブに連結した状態を示す図である。
【図９】海難救助用スーツの別の上部斜視図であり、頭部スリーブの周りで外側スリーブが拡張している状態を示す。
【図１０】展開した断熱装置の上面図であり、海難救助用スーツの外形と比較して示す図である。
【図１１Ａ】展開した断熱装置の上面図である。
【図１１Ｂ】羽部を巻いて畳んだ未使用時の断熱装置の上面図である。
【図１１Ｃ】畳んで包んだ断熱装置の上面図である。
【図１２】畳んで包んだ断熱装置の上面図であり、海難救助用スーツの外形と比較して示す図である。
【図１３】海難救助用スーツの別の上部斜視図であり、フード型のヘルメットを備えた拡張可能な外側頭部スリーブが拡張していることを示す図である。
【図１４】防護具の配置を示す本海難救助用スーツの上面図である。
【図１５】防護具の配置を示す本海難救助用スーツの背面図である。
【図１６】スーツの標準アセンブリから外した防護具の上面図である。
【図１７】本海難救助用スーツの背面図であり、スーツ脚部の断熱補強部の位置を示す図である。
【図１８】断熱補強部の内側層および外側層配置を示すスーツ脚壁部の詳細な断面図である。
【図１９】さまざまな構成要素を配置するいくつかのコンパートメントおよび／またはポケットの配置を示す本海難救助用スーツの上面図である。
【図２０】コンパートメントおよび／またはポケットの位置を示すスーツの部分縦断面図である。
【図２１Ａ】容器内側に身体がある状態の着装者の位置を示す本スーツの縦断面図である。
【図２１Ｂ】拡張可能な頭部スリーブの内側に頭部がある状態の着装者の位置を示す本スーツの縦断面図である。
【発明を実施するための形態】
【００４０】
異なる図面では、同じ参照番号および／または同じ文字は、同一または対応する部分を示す。
【００４１】
一般に、本発明は、浮くミニキャビンとして遭難者の身体を収納できるゆったりした身体収納容器（２）を備える海難救助用スーツに関する。この身体収納容器（２）は、プラスチック層（１２）（１５）（１４）によって形成され、気密空気室（２ａ）によって外側カバー（２０）から分離した内側カバー（１１）によって囲まれる。身体収納容器（２）には、展開できる頭部スリーブ（３）および外側スリーブ（４）を有する頭部開口部（２ｂ）から到達する。
【００４２】
詳細な説明  具体的には、本海難救助スーツ（１）は遭難者の解剖学的形態による容器（２）を備える。しかし、容器（２）の内側では、装着者が動作できるほど十分にゆったりしており、このため、浮くミニキャビンに似ていることを着想している。
【００４３】
スーツ側（１）は、２つの上部拡張部が突出し、２つの閉じたミトン（ｌａ）で終端し、底部は、２つのスーツ脚部（１ｂ）が突出し、２つの閉じた足部で終端する。
【００４４】
この身体収納容器（２）は、内側カバー（１１）および外側カバー（２０）内にあり、気密空気室（２ａ）によって分離される少なくとも２つのカバー（１１）（２０）によって囲まれる。この身体収納容器（２）は、第３のカバーまたは保護カバー（２１）を備え、その構成によって炎に対する遅延能力などの保護能力を備えることが見込まれる。
【００４５】
内側カバー（１１）は、第１（１２）、第２（１５）および第３（１３）のプラスチック層を備える。第１のプラスチック層（１２）の内側には、第１（１２ａ）および第２（１２ｂ）のプラスチック層があり、この間にはアルミニウムなどの断熱材によって形成される断熱層（１３）がある。
【００４６】
第２のプラスチック層（１５）は、胞状型のものであり、空気を満たし、密閉した複数の胞状部分（１５ａ）を備える。このような部分は、第３のプラスチック層（１４）に第１のプラスチック層（１２）を連結する複数の胞状壁部（１５ｂ）によって囲まれる。この態様の実施形態では、胞状部分（１５ａ）は円形であり、これにより、壁部では、胞間部分（１５ｃ）の形状が決まる。
【００４７】
第３のプラスチック層（１４）には、第３（１４ａ）および第４（１４ｂ）のプラスチック層があり、この間にも断熱層（１３）がある。別の態様の実施形態では、断熱層（１３）の外側と、第４のプラスチック層（１４ｂ）の内側には、たとえば派手な色の塗料が塗装された標識層（１４ｃ）がある。
【００４８】
外側カバー（２０）は、１または複数の層の適切なプラスチック材によって形成されるプラスチック層を備えてもよい。
【００４９】
一方、スーツ（１）の身体収納容器（２）には、頭部開口部（２ｂ）から到達可能であり、その縁部は、展開できる頭部スリーブ（３）に突出し、展開できる外側スリーブ（４）によって囲まれ、スリーブ（３）（４）の外側部には、展開できる保護スリーブ（５）がある。
【００５０】
展開できる頭部スリーブ（３）は、透明プラスチック層によって形成してもよく、頭部（３ａ）を把持する手段に終端部があってもよく、これにより、着装者の顔面でスリーブ縁（３）を調整することができる。言及した頭部スリーブ（３）は、着装者の頭部をさらに保護し、言及した着装者の頭部に着用するために、ヘルメット、フードまたはカバー（３ｂ）を備えることが見込まれる。例えば、頭部と顔面の大部分を覆う「フード」型のヘルメット（３ｂ）を備えることが見込まれる。このヘルメット（３ｂ）は、プラスチック層、断熱層および保護層を備える多層材で構成してもよい。
【００５１】
展開できる外側スリーブ（４）が頭部スリーブ（３）を囲んでいる。外側スリーブは、透明であってよく、展開して頭部スリーブ（３）の周りの隣接容器（４ｂ）を作製してもよい。この隣接容器（４ｂ）には、さまざまな用途がある。そのうちの１つでは、遭難者の頭部の周りに保護環境を作ることが可能である。別の用途では、雨水を収集する容器であってよい。
【００５２】
外側スリーブ（４）の外側部分には、スーツ（１）の保護カバー（２１）に似た繊維で作製され保護スリーブ（５）がある。この保護スリーブ（５）は、接合部（５ａ）を備え、詳細には、展開できる頭部スリーブ（３）に接合し、外側スリーブ（４）が畳んでいても、展開することができる。
【００５３】
プラスチック層（１２）（１５）（１４）を形成する材料に関して、直鎖状低密度ポリエチレンや２軸延伸ポリプロピレンなどの化合物の使用が見込まれる。この種類の試料を用いれば、耐水性が高く、断熱層（１３）として作用する［微細アルミ加工した］金属層を形成することができる。
【００５４】
一方、本スーツ（１）は防護具を備え、その帯がスーツ脚部把持部（５１）、胴体部把持部（５２）（５３）（５４）（５５）、胸部固定部（３０ａ）および背面部固定部（３１）を形成する。詳細には、スーツ脚部（１ｂ）、着装者の体幹が位置する容器（２）の中央部分、肩の周りに配置される複数の帯を備える。
【００５５】
帯は、スーツ脚部把持部（５１）、腰部把持部（５２）、交差胸部把持部（５４）のセットと、胸部把持部と背面部把持部のセットを形成する。
【００５６】
胸部把持部および背面部把持部は、腰部把持部（５２）と交差胸部把持部（５４）に肩越しに連結する胸部把持部（５３）のセットを備える。背面部把持部（５５）は、腰部把持部（５２）の終端部まで延伸して交差する。
【００５７】
たとえば防護具（５０）は、保護カバー（２１）の内側部に固定してもよいことが見込まれる。
【００５８】
また、防護具（５０）は前部固定部（３０ａ）（３１）と背面部固定部（５６）を少なくとも１セット備える。一態様の実施形態では、この背面部固定部（５６）は、着装者が必要とする場合に使用できるように、十分長くして一時的に固定するスーツ（１）の前面に通常設けてもよい。
【００５９】
開いたベストとして身体収納容器（２）の内側に置かれる断熱付属品（４０）を用いることが見込まれる。この断熱付属品（４０）は、背面部（４１）を備え、背面部（４１）からは、頭部羽部（４３）と２つの側面カバー羽部（４２）が突出している。このような側面カバー羽部（４２）は、使用されない場合、巻いた位置または畳んだ位置（４２ａ）にあってよい。使用する場合は、遭難者の身体の周りで畳み、その位置で維持するファスナー（４４）で固定される。
【００６０】
さまざまな補助装置が追加されることが見込まれる。たとえば、胸部コンパートメント（２２）から命綱（３０）、補助器具（３２）などを使用できる。また、スーツ脚部（１ｂ）、標識手段（３３）などを把持するロープ（１ｃ）の固定部をほかに備えることができる。
【００６１】
また、スーツ脚部の断熱補強部（６０）のセットを備えることができ、この補強部は、各スーツ脚部（１ｂ）の背面部に位置することが見込まれる。
【００６２】
補強部は、内側カバー（１１）と外側カバー（２０）との間に位置している断熱壁であり、着装者のひざ背面部の高さにある。補強部は、少なくとも１つの断熱層（１３）を備える第１のプラスチック層（１２）と、第２の胞状のプラスチック層（１５）と、少なくとも１つの断熱層（１３）を備える第３のプラスチック層（１４）を備える。
【００６３】
本発明では、特定の構成の詳細および形態が考慮されるかぎり、本願の特許請求の範囲で定義される本発明の範囲から逸脱することなく、さまざまな改変が可能であることは明らかである。
【００６４】
特に、本発明の本質を説明し、確立したように、その実現方法に従い、独占権および所有権を請求する。
【符号の説明】
【００６５】
１  救助スーツ
１ａ  スーツミトン（１）
１ｂ  スーツ脚部（１）
１ｃ  スーツ脚ベルト（１ｂ）
２  身体収納容器
２ａ  気密室部
２ｂ  頭部開口部［この部分から身体収納容器（２）に到達する］
３  拡張可能な頭部スリーブ
３ａ  頭部把持手段［拡張可能な頭部スリーブ（３）の開口部を密着させる］
３ｂ  頭部ヘルメットまたは頭部カバー
３ｃ  拡張可能な壁部
３ｄ  視界開口部
３ｅ  頭部標識
４  拡張可能な外側スリーブ
４ａ  外側把持手段［拡張可能な外側スリーブ（４）の開口部を密着させる］
４ｂ  隣接容器［拡張可能な頭部スリーブ（３）の周りの拡張可能な外側スリーブ（４）によって形成される］
５  保護スリーブ
５ａ  拡張可能な頭部スリーブ（３）とカバースリーブ（５）との間の接合部
１１  内側カバー
１２  第１のプラスチック層
１２ａ  第１のプラスチック層１２の第１の層
１２ｂ  第１のプラスチック層１２の第２の層
１３  断熱層
１４  第３のプラスチック層
１４ａ  第３のプラスチック層（１４）の第３の層
１４ｂ  第３のプラスチック層（１４）の第４の層
１４ｃ  標識層
１５  第２の胞状のプラスチック層
１５ａ  胞状部分
１５ｂ  胞状壁部
１５ｃ  胞間部分
２０  外側カバー
２１  保護カバー
２２  上部コンパートメント
３０  命綱
３０ａ  ロープ固定部
３１  巻上式前部固定部
３２  救助笛
３３  標識手段
４０  断熱付属品
４１  付属品（４０）背面部
４２  カバー羽部
４２ａ  巻いた状態または畳んだ状態のカバー羽部
４３  頭部羽部
４４  閉じ手段
５０  防護具
５１  スーツ脚部の締め具
５２  腰部の締め具
５３  前部の締め具
５４  胸部の締め具
５５  交差した背面部締め具
５６  背面部固定部
６０  断熱補強部
６１  前部コンパートメントまたはポケット
【図１】
2011098721.tif 000003
【図２】
2011098721.tif 000004
【図３】
2011098721.tif 000005
【図４】
2011098721.tif 000006
【図５Ａ】
2011098721.tif 000007
【図５Ｂ】
2011098721.tif 000008
【図５Ｃ】
2011098721.tif 000009
【図６】
2011098721.tif 000010
【図７】
2011098721.tif 000011
【図８】
2011098721.tif 000012
【図９】
2011098721.tif 000013
【図１０】
2011098721.tif 000014
【図１１Ａ】
2011098721.tif 000015
【図１１Ｂ】
2011098721.tif 000016
【図１１Ｃ】
2011098721.tif 000017
【図１２】
2011098721.tif 000018
【図１３】
2011098721.tif 000019
【図１４】
2011098721.tif 000020
【図１５】
2011098721.tif 000021
【図１６】
2011098721.tif 000022
【図１７】
2011098721.tif 000023
【図１８】
2011098721.tif 000024
【図１９】
2011098721.tif 000025
【図２０】
2011098721.tif 000026
【図２１Ａ】
2011098721.tif 000027
【図２１Ｂ】
2011098721.tif 000028
【外国語明細書】
2011098721000001.pdf